(57)【要約】【課題】３ラインのイメージセンサによって原稿を搬送しながらカラー原稿を読み取る場合に、多様な要因で起こりうる読み取り画像の色ズレを抑える。【解決手段】ＲＧＢの各ラインセンサによってシートスルー方式で原稿を１枚ずつ読み取るカラー原稿読み取り装置において、原稿読み取り前に原稿移動量の変動に基づく特性データを保持する特性データ格納メモリ１２を備え、このメモリ１２に保持された特性データに基づいて原稿を１枚ずつ読み取るとき、ラインメモリ８によって読み取りデータを基準となるラインの読み取りデータ出力とタイミングが合うように遅延させて処理し、ライン補正回路１１で原稿搬送中に生じる原稿移動量の変動による各色の位置ズレを補正する。【選択図】図１
2006211122.tif 000002
【特許請求の範囲】
【請求項１】
ＲＧＢの各ラインセンサによってシートスルー方式で原稿を１枚ずつ読み取るカラー原稿読み取り装置において、
原稿読み取り前に原稿移動量の変動に基づく特性データを保持する手段と、
この保持する手段によって保持された特性データに基づいて原稿を１枚ずつ読み取るとき、原稿搬送中に生じる原稿移動量の変動による各色の位置ズレを補正する手段と、
を備えていることを特徴とする画像読み取り装置。
【請求項２】
前記特性データは、基準となる色のラインセンサに対して、他の２色のラインセンサの原稿面上での距離の変動を副走査方向の読み取り解像度における１ライン分の距離を単位とする数値として原稿の搬送方向の長さにわたって１ライン毎に配列したものであることを特徴とする請求項１記載の画像読み取り装置。
【請求項３】
前記特性データは、前記基準となる色に対して他の２色の特性データを各々独立に有することを特徴とする請求項２記載の画像読み取り装置。
【請求項４】
前記特性データは、基準となる色に対して他の２色の特性データを共通に有することを特徴とする請求項２記載の画像読み取り装置。
【請求項５】
前記特性データは、原稿の搬送速度に応じて複数種有することを特徴とする請求項２記載の画像読み取り装置。
【請求項６】
前記特性データは、原稿幅に応じて複数種有することを特徴とする請求項２記載の画像読み取り装置。
【請求項７】
前記特性データは、原稿長に応じて複数種有することを特徴とする請求項２記載の画像読み取り装置。
【請求項８】
前記特性データは、原稿厚に応じて複数種有することを特徴とする請求項２記載の画像読み取り装置。
【請求項９】
請求項１ないし８のいずれか１項に記載の画像読み取り装置を備えていることを特徴とする画像形成装置。
【発明の詳細な説明】
【技術分野】
【０００１】
本発明はラインセンサを使用してカラー画像を読み取るスキャナやファクシミリに使用される画像読み取り装置及びこの画像読み取り装置を備えた複写機、ファクシミリなどの画像形成装置に関する。
【背景技術】
【０００２】
ＲＧＢの各ラインセンサによってカラー読み取りを行う方式は、カラー複写機や高速イメージスキャナで多く用いられる方式である。この読み取り方式の技術課題の１つにＲＧＢ各色の物理的距離に起因する画像の色ズレがある。各ラインセンサにはそれぞれ異なる分光フィルタが設けられ、一般的には図１に示すように等間隔に並んで配置されている。各色のラインセンサの間隔（ラインギャップＬＧ）は、ラインセンサの構造や製造方法によって様々であるが、ＣＣＤを例にすると４〜８ラインが一般的である。このラインギャップにより、原稿読み取り時に各色ラインセンサは原稿面の異なる位置を走査することになり、カラー画像を処理／形成するにあたって、同じ位置の画像データ同士をセットにするための補正が必要になる。
【０００３】
補正方法としては、原稿面のあるポイントを最も遅く走査する色を基準色として、他の色の画像データをその分遅延させる方式が一般的である。例えば、図１に示すラインギャップが４ラインの場合、基準色をＢ（Ｂｌｕｅ）とすると、Ｇ（Ｇｒｅｅｎ）を４ライン、Ｒ（Ｒｅｄ）を８ラインそれぞれ遅延させることによって原稿面に対してＢと同じ位置の画像データを処理することができる。
【０００４】
この補正装置の一例を図２のブロック図に示す。図２はラインメモリによってＲとＧの画像データを遅延させる画像読み取り装置の要部を示す概略図である。この画像読み取り装置では、光源１によって原稿１０を照射し、第１ミラー２、第２ミラー３、第３ミラー４によって結像レンズ５に原稿からの反射光をＣＣＤ６の結像面に導き、ＣＣＤ６で読みとったＲＧＢ各色の画像情報をＡＤＣ７Ｒ，７Ｇ，７Ｂによってデジタル情報に変換する。そして、ラインメモリ８Ｒ，８Ｇにそれぞれ格納してＢデータと同じタイミングで画像処理回路９に出力する。
【０００５】
このとき、ＲとＧのライン遅延量を一定とすると、原稿読み取り時の走査ムラに対して微妙な位置ズレが生じることになり、これが読み取り画像に対して色ズレとなって現れる。走査ムラは原稿を固定して光学系ユニットを移動させながら読み取る方式の場合、光学系ユニットの駆動精度や振動に起因するものが主であり、光学系ユニットを固定して原稿を搬送しながら読み取る方式の場合、原稿搬送精度や原稿面のばたつきに起因するものが主である。読み取り方式を比較した場合、原稿を搬送しながら読み取る方式のほうが、搬送対象物の特性（厚み、堅さなど）が多様であるため、走査ムラを抑えることが難しく、色ズレが起こりやすい。
【０００６】
そこで、このような点を改善するため特許文献１では、原稿後端が読み取り前ローラを抜けたときのショックによる原稿のブレを防ぎ、読み取り画像の色ずれや歪みを防止する技術が提案されている。この技術では、機械的構成によって原稿のばたつきを抑えるようにしている。
【特許文献１】特開２００３−２２１１４５公報
【発明の開示】
【発明が解決しようとする課題】
【０００７】
しかし、特許文献１に開示された発明は、基本的に原稿後端のローラー抜けが原因で発生するショックジターに対する対策であり、あらゆる要因から起こりうる搬送ジターに対しては効果は限定的である。
【０００８】
本発明は、このような点に鑑みてなされたもので、その目的は、３ラインのイメージセンサによって原稿を搬送しながらカラー原稿を読み取る場合に、多様な要因で起こりうる読み取り画像の色ズレを抑えることにある。
【課題を解決するための手段】
【０００９】
前記目的を達成するため、第１の手段は、ＲＧＢの各ラインセンサによってシートスルー方式で原稿を１枚ずつ読み取るカラー原稿読み取り装置において、原稿読み取り前に原稿移動量の変動に基づく特性データを保持する手段と、この保持する手段によって保持された特性データに基づいて原稿を１枚ずつ読み取るとき、原稿搬送中に生じる原稿移動量の変動による各色の位置ズレを補正する手段とを備えていることを特徴とする。
【００１０】
このように原稿移動量の変動に基づく特性データを、原稿読み取り前に保持することにより、原稿読み取り中の移動量の変動を検出する特別な手段を持つことなく各色のライン補正量を原稿移動量の変動に応じて変化させ、読み取り画像の色ズレを抑えることができる。ここで、特性データは、原稿搬送時のばらつき（変動量）を表す特性データであり、そのため特性データを取得するためにあらかじめデータ計測手段が設けられている。データ計測手段としては、例えば、変動量を計測できる専用の原稿を読み取らせ、その装置の特性データを生成する手段などであり、この種の手段は公知なので、特性データの取得には、このような公知の手法が用いられる。
【００１１】
第２の手段は、第１の手段において、前記特性データが基準となる色のラインセンサに対して、他の２色のラインセンサの原稿面上での距離の変動を副走査方向の読み取り解像度における１ライン分の距離を単位とする数値として原稿の搬送方向の長さにわたって１ライン毎に配列したものであることを特徴とする。
【００１２】
特性データとしては、変動量を副走査方向の読み取り解像度１ライン分の距離を単位とする数値、例えば１ラインに相当する距離を８という数値量で表す場合、４ライン分の補正量を示す数値は３２、４．５ライン分の補正量を表す数値は３６、というような数値で表し、かつ、１ライン毎にその数値を独立に設定可能とし、原稿搬送方向の長さに渡って配列することにより、原稿移動量の変動を直接的な数値データとして保持するようにする。これにより、原稿１ページに渡って精度よく補正することが可能となる。
【００１３】
第３の手段は、第２の手段において、前記特性データが前記基準となる色に対して他の２色の特性データを各々独立に有することを特徴とする。
【００１４】
前記特性データを基準色と他の２色に対して各々独立に２種類有することによって原稿移動量の変動としてラインギャップに対して比較的短い周期成分による影響が問題になる場合においても、変動による画像の色ズレを抑えることができる。例えば、基準色をＢ（Ｂｌｕｅ）とした場合、原稿面上におけるＲ（Ｒｅｄ）−Ｂ間の距離とＧ（Ｇｒｅｅｎ）−Ｂ間の距離は、ラインギャップの比と同じ比率になることが一般的であり、例えば、Ｇ−Ｂ間が４ラインの場合、Ｒ−Ｂ間はその２倍の８ラインである。しかし、原稿移動量の変動により、Ｒ−Ｂ間が８ラインのままでＧ−Ｂ間が５ラインに広がることがありうる。なぜなら、ＲからＧまでの原稿移動量が小さく、ＧからＢまでの原稿移動量が大きくなった結果、Ｒ−Ｂの原稿移動量が元のままとなるケースがあるからである。このようなケースは、移動量の変動がＲ−Ｂの時間内に収束するような場合であり、比較的短い周期の変動によって引き起こされる。第３の手段では、基準となる色に対して他の２色の特性データを各々独立に有するので、このような場合でも適正な補正が可能となる。
【００１５】
第４の手段は、第２の手段において、前記特性データが、基準となる色に対して他の２色の特性データを共通に有することを特徴とする。
【００１６】
このように基準色と他の２色との特性データを共通とすることによって特性データの容量を小さくし、保持するための不揮発性メモリのコストを抑え、および／または特性データの転送に必要な時間を抑えることが可能となる。
【００１７】
第５の手段は、第２の手段において、前記特性データは、原稿の搬送速度に応じて複数種有することを特徴とする。
【００１８】
このように原稿の搬送速度に応じて特性データを複数種有することにより、原稿搬送速度を変化させて副走査の変倍率や解像度を切り換える原稿読み取り方式を採用する場合にも適正な補正が可能となる。
【００１９】
第６の手段は、第２の手段において、前記特性データを原稿幅に応じて複数種有することを特徴とする。
【００２０】
このように原稿幅（原稿搬送方向に対して直交する方向の寸法）に応じて特性データを複数種有することによって、原稿幅によって原稿搬送時の移動量の変動特性が異なるような読み取り装置においても、適正な補正が可能となる。例えば、Ａ３幅の原稿を搬送する場合とＡ４幅の原稿を搬送する場合で、搬送部材の接触面の位置や搬送トルクの違いによって原稿移動量の変動特性が異なるケースがあり、このようなケースに対応するができる。
【００２１】
第７の手段は、第２の手段において、前記特性データを原稿長に応じて複数種有することを特徴とする。
【００２２】
このように原稿長（原稿搬送方向の寸法）に応じて特性データを複数種有することによって、原稿長によって原稿搬送時の移動量の変動特性が異なるような読み取り装置においても、適正な補正が可能となる。例えば、Ａ３長の原稿を搬送する場合とＡ４長の原稿を搬送する場合で、搬送部材のリリースタイミングや搬送トルクの違いによって原稿移動量の変動特性が異なるケースがあり、このようなケースに対応することができる。
【００２３】
第８の手段は、第２の手段において、前記特性データを原稿厚に応じて複数種有することを特徴とする。
【００２４】
このように原稿厚に応じて特性データを複数種有することによって、原稿厚によって原稿搬送時の移動量の変動特性が異なるような読み取り装置においても、適正な補正が可能となる。
【００２５】
第９の手段は、第１ないし第８のいずれかの手段に係る画像読み取り装置を画像形成装置が備えていることを特徴とする。
【発明の効果】
【００２６】
本発明によれば、原稿読み取り前に原稿移動量の変動に基づく特性データを保持し、この保持された特性データに基づいて原稿を１枚ずつ読み取るとき、原稿搬送中に生じる原稿移動量の変動による各色の位置ズレを補正するので、３ラインのイメージセンサによって原稿を搬送しながらカラー原稿を読み取る場合に、多様な要因で起こりうる読み取り画像の色ズレを抑えることができる。
【発明を実施するための最良の形態】
【００２７】
以下、本発明の実施形態について図面を参照して説明する。
【００２８】
図３は、本発明の実施形態に係る画像読み取り装置の全体構成例を示す概略構成図である。この実施形態は、前述の図２に示した従来例に対してＢ（Ｂｌｕｅ）についてもラインメモリ８Ｂを設け、Ｒ（Ｒｅｄ）及びＧ（Ｇｒｅｅｎ）についてライン補正回路１１Ｒ，１１Ｇを設け、これらのライン補正回路１１Ｒ，１１Ｇに特性データ格納メモリ１２から特性データを出力するように構成されている。
【００２９】
すなわち、本実施形態の特徴は特性データを格納するためのメモリ１２と、その読み出しデータをライン補正回路１１Ｒ，１１Ｇに入力し、補正量をライン単位に変動させることを可能としたことにある。また、基準ラインとするＢ（Ｂｌｕｅ）のデータに対してもラインメモリ８Ｂを使って遅延させているが、これは、Ｒ（Ｒｅｄ）またはＧ（Ｇｒｅｅｎ）のライン補正を非線形補間演算により１ライン以下の精度で補正することを想定しており、演算により全体的に１ライン分の遅延が発生することを考慮しているためである。また、原稿は所謂シートスルーで読み取るようになっている。その他、特に説明しない各部は前述の図２に示した従来例と同等に構成され、同等に機能する。
【００３０】
図４はライン補正回路の一例を示すブロック図である。図４はＲまたはＧの１ｃｈ分の構成を示している。また、図４の構成では、ラインメモリ８（以下、総括的にいう場合には、色を示すＲＧＢの符号は省略する）による遅延量として最大７ライン分を確保しているが、これは基本遅延量を４ラインとして、基本遅延量からの変動分を隣接する４ライン分の画像データを参照データとする非線形補間演算で算出することを想定しているためである。
【００３１】
具体的には、現在読み取っているラインをＬ（ｓ）とすると、基本遅延量分だけ遅らせたラインＬ（ｓ−４）が基本データとなり、さらにＬ（ｓ−４）とＬ（ｓ−５）の間に仮想的なラインを想定し１ライン以下のライン補正データ算出するためにＬ（ｓ−３）、Ｌ（ｓ−４）、Ｌ（ｓ−５）、Ｌ（ｓ−６）の４ライン分の画像データを参照データとして利用することになる。原稿移動量の変動により、遅延量が４ラインを下回る場合は、Ｌ（ｓ−３）とＬ（ｓ−４）に仮想的なラインを想定することになり、その場合はＬ（ｓ−２）、Ｌ（ｓ−３）、Ｌ（ｓ−４）、Ｌ（ｓ−５）の４ライン分の画像データを利用することになる。このような参照データの切替を、図４のデータセレクタ１１−１で行う。この構成の場合、基本遅延量４ラインに対して、±１ラインまでの変動に対応できるが、データセレクタ１１−１へ入力する遅延データの種類を増やすことで更に大きな変動に対応できる回路も構成可能である。
【００３２】
図４におけるの補正量デコーダ１１−２は、特性データより補正量を整数部Ｉと小数部Ｒに分け、整数部は整数コードＩとしてデータセレクタ１１−１へ、小数部は小数コードＲとして補間演算部１１−３へそれぞれ伝える機能を有している。整数コードＩは補間演算の参照ラインの構成選択に利用され、小数コードＲは補間により算出する仮想ラインデータの算出に利用される。
【００３３】
図５に特性データとライン遅延量の関連づけの例を示す。図５ではライン遅延量を１／８ラインの精度で表現できるデータ値を想定している。つまり、データ値を８で割ったときの整数部が整数コードＩでありデータセレクタ１１−１による参照ラインの遅延ライン数に相当し、剰余部が小数コードＲであり非線形補間演算に必要な仮想ラインの相対的な位置を表す。例えば、データ値３５の場合、整数コードＩは４、小数コードＲは３となる。
【００３４】
図６にライン補正の非線形演算の方法を示す。小数コードＲから補正後ラインデータＣｍの位置はｒ＝Ｒ／８として定義され、ｒの関数となる補正係数ｈによって補正後のラインデータＣｍは、
Ｃｍ＝Ｌｍ＋１・ｈ（１＋ｒ）＋Ｌｍ・ｈ（ｒ）
＋Ｌｍ−１・ｈ（１−ｒ）＋Ｌｍ−２・ｈ（２−ｒ）
と算出できる。補正係数ｈはあらかじめデータテーブルとして定義される。また、Ｌｍ＋１、Ｌｍ、Ｌｍ−１、Ｌｍ−２は、実在のラインデータである。
【００３５】
特性データはメモリ１２に格納され、ラインカウンタ１３の値をアドレスとして、リードデータが補正量デコーダ１１−２に入力されるものとし、補正量デコーダ１１−２ではリードデータをライン先頭でラッチする仕組みをもつことにより、ライン毎に特性データの内容に応じた補正量をデータセレクタ１１−１および補間演算部１１−３へ伝えることが可能となる。
【００３６】
図７にデータ構成のタイミング図を示す。ラインカウンタ値ｓはライン同期信号によってインクリメントされるカウンタ値であり、特性データ格納メモリ１２のアドレスとして入力される。ラインカウンタ値ｓのタイミングで入力するラインデータＬ（ｓ）に対応する特性データは３５で、以下Ｌ（ｓ＋１）が３２、Ｌ（ｓ＋２）が３０であるとする。ラインデータＬ（ｓ）の特性データより、整数コードＩは４となり基本ライン遅延は４となる。同様にＬ（ｓ＋１）の基本ライン遅延は４、Ｌ（ｓ＋２）の基本ライン遅延は３となる。この基本ライン遅延は、入力データに対して参照ラインＬｍに対する遅延量を定義するものである。つまり、基本ライン遅延が４の場合、Ｌｍは入力データの４ライン前のデータとなる。故にＬ（ｓ）が入力するライン期間においては
Ｌｍ＝Ｌ（ｓ−４）
となり、Ｌ（ｓ＋１）が入力するライン期間においては
Ｌｍ＝Ｌ（ｓ−３）
となる。Ｌ（ｓ＋２）が入力するライン期間においては基本ライン遅延が３であるため、
Ｌｍ＝Ｌ（ｓ−１）
となる。小数コードは、Ｌ（ｓ）が３、Ｌ（ｓ＋１）が０、Ｌ（ｓ＋２）が６となり、各々８で割った数値がＬｍから補正データの仮想ポイントまでの距離を表すものである。小数コードが０の場合、補正係数ｈ（ｒ）が１で、それ以外の補正係数が０とすることが一般的であり、その場合、Ｌｍそのものが補正データとなり、補正データＣ（ｓ−３）＝Ｌ（ｓ−３）である。
【００３７】
次に特性データの定義および構成について説明する。
【００３８】
既に図５で例示しているが、原稿移動量の変動を特性データとしてメモリ１２に格納する場合、アドレスに原稿読み取り時のラインナンバーを割り当て、データにそのラインにおける変動量のデータ値を格納させることによって読み取りラインと変動量を対応づける。変動量は、基準となる色のラインセンサと他の色のラインセンサとの原稿面上における距離をライン数で表すものとするので、ライン補正精度に合わせてビット数を定義する。実施形態では、１／８ラインの精度で補正をするので、１ラインの距離に相当するデータ量を８としている。仮に補正ライン数の上限を１６ラインとすると、
１６ｘ８＝１２８
を表現できればよいので、特性データのビット幅は８ｂｉｔあれば十分である。データ値＝０の定義を１／８ラインの補正量とし、順次データ値をずらすことによりデータ値＝１２７で１６ラインの補正量を表現できるので７ｂｉｔでも可能であるが、前述の実施形態では、データ値を８で割った数値をそのままライン補正量と定義しているので８ｂｉｔ必要となってしまう。しかし、直感的にわかりやすいので以後の説明でもこの定義に従う。
【００３９】
仮に基準となる色をＢ（青）とし、原稿面上で４ライン離れたＧ（緑）の読み取りデータと画像を一致させるためにライン補正することを想定し、実際の原稿読み取りにおける位置ずれ量が図８の如く変動するものとする。上述の定義に従った場合、そのときの特性データ格納用のメモリ１２のデータとしては図９に示すデータ列が対応するものである。これによって移動量の変動をデータ値としてメモリ１２で保持し、そのデータをライン単位に読み出すことで補正量をライン毎に切り換えることが可能となる。
【００４０】
ＢとＲ（赤）についても同様に特性データを独立に構成しメモリの別領域に保持し、ライン先頭にてＢとＧの特性データ１Ｂｙｔｅ、ＢとＲの特性データ１Ｂｙｔｅを各々読み出せば、ＧおよびＲについてライン毎の変動を独立に補正することが可能となる。
【００４１】
また、ＢとＲの距離がＢとＧの距離の２倍、つまり原稿面上で８ライン離れている場合、Ｇの特性データの２倍がＲの変動と考えることができるので、特性データはＢとＧの変動に関するデータのみ格納し、読み出したデータを２倍してＲの補正に適用することも可能である。
【００４２】
また、原稿搬送速度を変えることで、読み取り解像度を変化させるシステムの場合、ライン数を基準にすると原稿面におけるＢとＧの距離も変化することになる。例えば、原稿搬送速度が２倍になれば、ＢとＧの原稿面上の距離をライン数で表せば半分の２ラインになる。この理屈で特性データを演算によって変換すれば原稿搬送速度が変化しても同じ特性データを適用することができる。しかし、原稿搬送速度が変われば、紙搬送精度に起因する移動量の変動特性が変化することが多い。よって、原稿搬送速度に応じて原稿移動量の変動の特性データを複数保持することにより、適切なライン補正を行うことも可能である。
【００４３】
その他、原稿移動量の変動特性が変化する要因として考えられる原稿のサイズ、紙厚についても同様に独立の特性データを保持することで、多様な原稿に対して適切なライン補正を行うことも可能である。
【００４４】
なお、本実施形態に係る画像形成装置はスキャナやファクシミリの読み取り装置として単体で用いられ、また、複写機、プリンタ、ファクシミリの画像形成部などの画像形成装置に対して一体または別体に設けられ、１つの画像形成装置として構成することもできる。
【００４５】
以上のように本実施形態によれば、以下のような効果を奏する。
【００４６】
１）原稿読み取り前に原稿移動量の変動に基づく特性データを保持する手段を有しているので、原稿読み取り期間に渡って原稿移動量の変動に応じたＲＧＢ各ラインの読み取り位置を補正することが可能となり、読み取り画像の色ズレを抑えることができる。
【００４７】
２）原稿移動量の変動に基づく特性データの構成方法として、読み取り画像の副走査方向解像度１ライン分の距離を単位とする数値で表すことを特徴としているので、特性データの生成が容易である上、補正処理に利用する際に、容易に所望の補正値に変換でき、画像処理システムを簡素に構成することができる。
【００４８】
３）原稿移動量の変動に基づく特性データを、基準となる色に対して他の２色の特性データを各々独立に有するので、互いの特性データに相関関係がない場合でも、各々の独立に補正することができ、色ズレを抑えることが可能となる。
【００４９】
４）原稿移動量の変動に基づく特性データを、基準となる色に対して他の２色の特性データを共通とするので、互いの特性データに相関関係がある場合は、特性データを格納する記憶装置の容量を比較的小さくした上で色ズレを抑えることができる。
【００５０】
５）原稿移動量の変動に基づく特性データを、原稿の搬送速度に応じて複数種有するので、原稿搬送速度に起因する変動量の変化に対しても正しく補正でき、色ズレを抑えることができる。
【００５１】
６）原稿移動量の変動に基づく特性データを、原稿幅に応じて複数種有するので、原稿幅に起因する変動量の変化に対しても正しく補正でき、色ズレを抑えることができる。
【００５２】
７）原稿移動量の変動に基づく特性データを、原稿長に応じて複数種有するので、原稿長に起因する変動量の変化に対しても正しく補正でき、色ズレを抑えることができる。
【００５３】
８）原稿移動量の変動に基づく特性データを、原稿厚に応じて複数種有するので、原稿厚に起因する変動量の変化に対しても正しく補正でき、色ズレを抑えることができる。
【図面の簡単な説明】
【００５４】
【図１】従来から実施されているラインセンサの配置を示す図である。
【図２】従来から実施されているラインメモリによってＲとＧの画像データを遅延させる画像読み取り装置の要部を示す概略図である。
【図３】本発明の実施形態に係る画像読み取り装置の全体構成例を示す概略構成図である。
【図４】図３におけるライン補正回路の一例を示すブロック図である。
【図５】特性データとライン遅延量の関連づけの例を示す図である。
【図６】ライン補正の非線形演算の方法を示す説明図である。
【図７】データ構成のタイミングを示す図である。
【図８】実際の原稿読み取りにおける位置ずれ量の変動を示す図である。
【図９】図８の変動に対応したメモリ内の特性データを示す図である。
【符号の説明】
【００５５】
１  光源
２，３，４  ミラー
５  結像レンズ
６  ＣＣＤ
７，７Ｒ，７Ｇ，７Ｂ  ＡＤＣ
８，８Ｒ，８Ｇ，８Ｂ  ラインメモリ
９  画像処理回路
１０  原稿
１１，１１Ｒ，１１Ｇ  補正回路
１１１  データセレクタ
１１２  補正量デコーダ
１１３  補間演算部
１２  特性データ格納メモリ
１３  ラインカウンタ
【図１】
2006211122.tif 000003
【図２】
2006211122.tif 000004
【図３】
2006211122.tif 000005
【図４】
2006211122.tif 000006
【図５】
2006211122.tif 000007
【図６】
2006211122.tif 000008
【図７】
2006211122.tif 000009
【図８】
2006211122.tif 000010
【図９】
2006211122.tif 000011